(57)【要約】【課題】操作者にとって適切な文字の大きさを操作者が手間をかけることなく設定できる表示装置並びにそれを備えた画像形成装置及び画像処理装置を提供する。【解決手段】表示部１と、表示部１で表示する文字ＭのサイズＭ（ｉ）を設定する文字サイズ設定部３とを具備する表示装置１０において、文字サイズ設定部３は、表示部１で表示する文字ＭのサイズＭ（ｉ）を設定するにあたり、表示部１に該文字サイズＭ（ｉ）の指標となる指標画像Ｐを表示させる。【選択図】図５
2009193324.tif 000002
【特許請求の範囲】
【請求項１】
表示部と、前記表示部で表示する文字のサイズを設定する文字サイズ設定部とを具備する表示装置において、
前記文字サイズ設定部は、前記表示部で表示する文字のサイズを設定するにあたり、前記表示部に該文字サイズの指標となる指標画像を表示させることを特徴とする表示装置。
【請求項２】
請求項１に記載の表示装置において、
前記表示部に表示した指標画像の操作者による見え具合の情報が操作者によって選択入力可能とされており、
前記文字サイズ設定部は、操作者により選択入力された指標画像の見え具合の情報に基づいて、前記表示部に表示する文字サイズを決定することを特徴とする表示装置。
【請求項３】
請求項２に記載の表示装置において、
前記表示部で表示する文字は、互いに異なる複数種類のサイズの文字であり、
前記指標画像は、前記複数種類のサイズの文字にそれぞれ対応した複数種類のサイズの指標画像であり、
前記文字サイズ設定部は、前記複数種類のサイズの指標画像の中から、前記表示部で表示するために設定したサイズの文字に対応する一の指標画像を前記表示部に表示させると共に、該一の指標画像を該表示部に表示させるにあたり、該指標画像の互いに異なる複数種類の表示形態に対して該指標画像をランダムに表示させ、操作者により選択入力された該指標画像の見え具合の情報に基づき前記表示部で表示する文字サイズを設定する機能を備えたことを特徴とする表示装置。
【請求項４】
請求項３に記載の表示装置において、
前記文字サイズ設定部は、前記複数種類のサイズの指標画像の中から前記一の指標画像を前記表示部に表示させるにあたり、該指標画像の前記複数種類の表示形態に対するランダムな表示を複数回行い、該複数回の表示毎に前記表示部に表示した指標画像と操作者により選択入力された指標画像の見え具合の情報とを比較した比較結果を集計し、該集計した集計結果に基づき文字サイズの設定を変更する手段を具備することを特徴とする表示装置。
【請求項５】
請求項３又は４に記載の表示装置において、
前記複数種類のサイズの指標画像の中から前記表示部に表示した指標画像の操作者による見え具合の情報が前記複数種類の表示形態に対応して操作者にて選択入力可能な入力部を具備することを特徴とする表示装置。
【請求項６】
請求項１から５の何れか一つに記載の表示装置において、
前記指標画像としてランドルト環の画像を用いることを特徴とする表示装置。
【請求項７】
請求項１から６の何れか一つに記載の表示装置を備えたことを特徴とする画像形成装置。
【請求項８】
請求項１から６の何れか一つに記載の表示装置を備えたことを特徴とする画像処理装置。
【発明の詳細な説明】
【技術分野】
【０００１】
本発明は、表示装置並びにそれを備えた画像形成装置及び画像処理装置に関する。
【背景技術】
【０００２】
画像や文字を表示する液晶ディスプレイなどの表示部を備えた表示装置は、複写機等の画像形成装置や携帯電話機等の携帯端末装置、或いはコンピュータ等の画像処理装置の出力装置やテレビジョン等の受像装置といった広範囲の機器に多用されている。
【０００３】
このような従来の表示装置において、見え易いと感じる文字の大きさ（サイズ）は操作者により異なっている。このことから、従来の表示装置として、操作者本人が見え易いように文字の大きさを設定できるようになっているものがある。
【０００４】
かかる表示装置においては、操作者は、適切な文字の大きさを設定するために、一度設定を確定した後、実際の文字の大きさを確認し、その設定した文字の大きさでは見づらいと感じた場合は、さらに、見え易いと感じる文字の大きさになるように再設定する必要がある。
【０００５】
すなわち、操作者にとっての適切な文字の大きさの設定は、操作者の主観という曖昧な基準によって決められるため、操作者は、文字の大きさの設定をどの程度にすればよいかを決め兼ねることが多く、適正な設定値にするのに手間がかかることがある。
【０００６】
なお、関連技術分野における参考文献として下記特許文献１，２のものがある。すなわち、特許文献１には、複数の表示形式に基づいて表示したテキストの大きさを操作キーの操作に応じて変更する技術が提案されている。また、特許文献２には、セットされたカードの所有者に対する情報を表示するにあたり、個人情報中の所定の情報に基づいてカードの所有者が所定条件に合致するか否かを判定し、合致する場合には合致しない場合に比べて文字の表示サイズを大きくする技術が提案されている。これらの特許文献１，２記載の技術は、前記の問題についてまでは考慮されていない。
【特許文献１】特開２００６−１４２２３号公報
【特許文献２】特開平１１−３３８９４０号公報
【発明の開示】
【発明が解決しようとする課題】
【０００７】
本発明は、前記問題点に鑑みてなされたものであり、操作者にとって適切な文字の大きさを操作者が手間をかけることなく設定できる表示装置並びにそれを備えた画像形成装置及び画像処理装置を提供することを目的とする。
【課題を解決するための手段】
【０００８】
本発明は、前記課題を解決するために、表示部と、前記表示部で表示する文字のサイズを設定する文字サイズ設定部とを具備する表示装置において、前記文字サイズ設定部は、前記表示部で表示する文字のサイズを設定するにあたり、前記表示部に該文字サイズの指標となる指標画像を表示させることを特徴とする表示装置を提供する。
【０００９】
本発明はまた、前記本発明に係る表示装置を備えたことを特徴とする画像形成装置及び画像処理装置も提供する。
【００１０】
本発明にいう「指標画像」は、前記表示部で表示する文字が操作者にとって見え易くなるように文字のサイズを客観的かつ正確に決定できるものである。前記指標画像としては、代表的にはランドルト環の画像を用いることができる。このランドルト環は、静止視力を測定する際に広く利用されているもので、円環の一部が開放したＣ字型の形状を有するものである。
【００１１】
従って、本発明によれば、前記表示部での文字のサイズを客観的かつ正確に決定できる前記指標画像を前記表示部に表示させることによって、操作者にとって適切な文字の大きさを円滑かつ確実に設定することが可能となる。これにより、操作者にとって適切な文字の大きさを操作者が手間をかけることなく設定することができる。
【００１２】
本発明において、前記文字サイズ設定部の具体的態様として、次のものを例示できる。すなわち、前記表示部に表示した指標画像の操作者による見え具合の情報が操作者によって選択入力可能とされており、前記文字サイズ設定部は、操作者により選択入力された指標画像の見え具合の情報に基づいて、前記表示部に表示する文字サイズを決定する態様である。
【００１３】
この特定事項により、前記表示部に表示した指標画像の操作者による見え具合の情報が操作者によって選択入力されることで、前記表示部に表示する適切な文字の大きさを容易に設定することができる。
【００１４】
前記表示部で表示する文字が互いに異なる複数種類のサイズの文字である場合、前記指標画像は、前記複数種類のサイズの文字にそれぞれ対応した複数種類のサイズの指標画像とすることができる。そして、前記文字サイズ設定部は、前記複数種類のサイズの指標画像の中から、前記表示部で表示するために設定したサイズの文字に対応する一の指標画像を前記表示部に表示させると共に、該一の指標画像を該表示部に表示させるにあたり、該指標画像の互いに異なる複数種類の表示形態に対して該指標画像をランダムに表示させ、操作者により選択入力された該指標画像の見え具合の情報に基づき前記表示部で表示する文字サイズを設定する機能を備えている態様を例示できる。
【００１５】
この特定事項により、前記複数種類のサイズの指標画像の中から指標画像の見え具合の情報を迅速かつ容易に選択入力して前記表示部で表示する文字のサイズを設定することが可能となる。
【００１６】
また、前記文字サイズ設定部は、前記複数種類のサイズの指標画像の中から前記一の指標画像を前記表示部に表示させるにあたり、該指標画像の前記複数種類の表示形態に対するランダムな表示を複数回行い、該複数回の表示毎に前記表示部に表示した指標画像と操作者により選択入力された指標画像の見え具合の情報とを比較した比較結果を集計し、該集計した集計結果に基づき文字サイズの設定を変更する手段を具備していることが好ましい。
【００１７】
この特定事項により、前記複数種類のサイズの指標画像の中から選択入力された指標画像の見え具合の情報から前記表示部で表示する文字のサイズを精度よく設定することが可能となる。
【００１８】
また、本発明において、前記複数種類のサイズの指標画像の中から前記表示部に表示した指標画像の操作者による見え具合の情報が前記複数種類の表示形態に対応して操作者にて選択入力可能な入力部を具備していてもよい。
【発明の効果】
【００１９】
以上説明したように、本発明によると、操作者にとって適切な文字の大きさを操作者が手間をかけることなく設定できる表示装置並びにそれを備えた画像形成装置及び画像処理装置を提供することができる。
【発明を実施するための最良の形態】
【００２０】
以下、本発明の実施形態について添付図面を参照しつつ説明する。なお、以下の実施の形態は、本発明を具体化した一例であって、本発明の技術的範囲を限定する性格のものではない。
【００２１】
図１は、本発明の実施形態に係る表示装置を備えた画像形成装置の一例の概略構成を示すブロック図である。
【００２２】
図１に示す画像形成装置１００は、画像形成動作の状況や画像形成を行うための操作情報を表示する表示部１と、表示部１で表示する表示情報を制御する表示制御部を含む制御部２と、操作者により入力操作可能な入力部４と、印刷する画像を読み取るための画像読取部５と、画像読取部５にて読み取った画像を印刷用の画像データに変換するための画像処理部６と、画像処理部６により変換された画像データを印刷するための印刷部７とを備えている。
【００２３】
なお、制御部２は、表示部１、入力部４、画像読取部５、画像処理部６及び印刷部７に対して指示、命令を行い、画像形成装置１００全体を制御するようになっている。また、制御部２は、表示部１で文字を表示する場合の文字のサイズを設定する文字サイズ設定部３を備えるように構成されている。本発明の実施形態に係る表示装置１０は、文字サイズ設定部３と表示部１とを備えている。また、表示装置１０と画像処理部６とで画像処理装置２０を構成している。
【００２４】
そして、文字サイズ設定部３は、表示部１で表示する文字のサイズを設定するにあたり、表示部１に該文字サイズの指標となる指標画像Ｐを表示させるようになっている。
【００２５】
図２は、図１に示す表示装置１０における表示部１を概略的に示す平面図であって、該表示部１に指標画像Ｐが表示されている状態を示す図である。
【００２６】
本実施の形態においては、指標画像Ｐは、ランドルト環の画像とされている。このランドルト環は、円環の一部が開放したＣ字型の形状を有するものである。指標画像Ｐは、例えば、（円環全体の直径）：（円環を構成する円弧の幅）：（開放した部分Ｐ’の間隔）が５：１：１の一般的な構成のものとすることができる。
【００２７】
本発明の実施形態に係る表示装置１０では、表示部１に表示する文字を操作者が直接確認することで見え易いか否かを判断するという主観的で曖昧な判断基準ではなく、文字サイズの指標となる指標画像Ｐによって、表示部１に表示する文字のサイズを設定する。この指標画像Ｐは、表示部１での文字が操作者にとって見え易くなるように文字のサイズを客観的かつ正確に決定できるものである。つまり、文字の大きさは、指標画像Ｐのサイズに対応づけられて設定されており、文字サイズ設定部３は、表示部１に表示した指標画像Ｐが操作者にとって適正な文字サイズに対応していると判断した場合に、その指標画像Ｐに対応する文字サイズの設定値を操作者にとって適切な設定値として設定できるようになっている。
【００２８】
このように、本発明の実施形態に係る表示装置１０によれば、指標画像Ｐを表示部１に表示させることによって、操作者にとって適切な文字の大きさを何度も設定しなおすことなく円滑かつ確実に設定することができ、これにより、操作者にとって適切な文字の大きさを手間がかかることなく設定することが可能となる。
【００２９】
なお、文字サイズの指標となる指標画像Ｐとしては、前記したランドルト環の画像の他に、「ＡＢＣ」等のアルファベット文字の画像や、「あいうえお」等の仮名文字の画像、その他の記号の画像、さらには、文字や記号以外の画像など、表示部１での文字が操作者にとって見え易くなるように文字のサイズを客観的かつ正確に決定できるものであれば何れのものを用いてもよい。
【００３０】
本実施の形態において、表示装置１０は、表示部１に表示した指標画像Ｐの操作者による見え具合の情報が操作者によって選択入力できるようになっている。また、文字サイズ設定部３は、操作者により選択入力された指標画像の見え具合の情報に基づいて、表示部１に表示する文字サイズを決定するようになっている。
【００３１】
かかる構成を備えた表示装置１０では、表示部１に表示した指標画像Ｐの操作者による見え具合の情報が操作者によって選択入力されるので、操作者にとって適切な文字サイズを設定値として容易に設定することが可能となる。
【００３２】
本実施の形態において、表示部１で表示する文字Ｍは、後述する図４に示すように、互いに異なる複数種類のサイズＭ（１）〜Ｍ（ｎ）（ｎは２以上の整数）のものである。ここでは、文字ＭのサイズＭ（１）〜Ｍ（ｎ）は、添え字の値が大きくなるに従って順に大きくなっている。また、図４の例ではｎは５である。
【００３３】
指標画像Ｐは、文字ＭのサイズＭ（１）〜Ｍ（ｎ）にそれぞれ対応する互いに異なる複数種類のサイズＰ（１）〜Ｐ（ｎ）のものである。ここでは、指標画像ＰのサイズＰ（１）〜Ｐ（ｎ）は、文字ＭのサイズＭ（１）〜Ｍ（ｎ）に対応して、添え字の値が大きくなるに従って順に大きくなっている。
【００３４】
そして、文字サイズ設定部３は、複数種類のサイズＰ（１）〜Ｐ（ｎ）の指標画像Ｐの中から、表示部１で表示するために設定した文字ＭのサイズＭ（ｉ）（ｉは１以上ｎ以下の整数）に対応するサイズＰ（ｉ）の一の指標画像Ｐを表示部１に順次表示させる第１の機能を備えている。この第１の機能は、サイズＰ（ｉ）の一の指標画像Ｐを表示部１に順次表示させるにあたり、該一の指標画像Ｐを該指標画像Ｐの互いに異なる複数種類の表示形態がランダムになるように表示させるようになっている。
【００３５】
また、文字サイズ設定部３は、操作者により選択入力されたサイズＰ（ｉ）の指標画像Ｐの見え具合の情報に応じて表示部１で表示する文字Ｍを一つ大きいサイズＭ（ｉ＋１）又は一つ小さいサイズＭ（ｉ−１）に設定変更する第２の機能を備えている。
【００３６】
そして、前記第１の機能は、前記第２の機能で文字Ｍの一つ大きいサイズＭ（ｉ＋１）又は一つ小さいサイズＭ（ｉ−１）を設定する場合には、該第２の機能で設定した文字Ｍの一つ大きいサイズＭ（ｉ＋１）又は一つ小さいサイズＭ（ｉ−１）にそれぞれ対応する一つ大きいサイズＰ（ｉ＋１）又は一つ小さいサイズＰ（ｉ−１）の一の指標画像Ｐを表示部１に表示させるようになっている。
【００３７】
かかる構成を備えた表示装置１０では、複数種類のサイズＰ（１）〜Ｐ（ｎ）の指標画像Ｐの中から一の指標画像Ｐの見え具合情報を迅速かつ容易に選択入力して表示部１で表示する文字Ｍの操作者とって適切なサイズを設定することが可能となる。
【００３８】
なお、指標画像Ｐの表示形態としては、指標画像Ｐを所定角度（例えば、９０°）毎に回転させた表示形態を例示できる。ここでは、指標画像Ｐの表示形態は、指標画像Ｐの開放した部分Ｐ’が上方、下方、右方又は左方に向くような指標画像Ｐの向きとされている。
【００３９】
本発明の実施形態に係る表示装置１０は、入力部４をさらに備えている。図３は、図１に示す表示装置１０における入力部４を概略的に示す平面図であって、該入力部４での操作部材４２，４４，４６，４８のサイズＰ（ｉ）の指標画像Ｐの表示形態との対応関係を示す図である。
【００４０】
この入力部４は、複数種類のサイズＰ（１）〜Ｐ（ｎ）の指標画像Ｐの中から表示部１に表示したサイズＰ（ｉ）の指標画像Ｐの操作者による見え具合の情報が前記複数種類の表示形態に対応して操作者にて選択入力できるようになっている。これにより、指標画像Ｐの表示形態に対応する選択入力の操作性を向上させることができる。入力部４は、ここでは、キー操作可能なテンキーを備えたキーボードとされている。
【００４１】
図３に示すように、入力部４は、数字「１」から数字「９」までのテンキー４１〜４９をそれぞれ有している。文字サイズ設定部３は、表示部１に表示するサイズＰ（ｉ）の指標画像Ｐの複数種類の表示形態（ここでは、ランドルト環の開放部分Ｐ’が上方、下方、左方又は右方を向いた４種類の表示形態）に対して、「上を向いた表示形態」はテンキー４２の数字「２」キーに、「下を向いた表示形態」はテンキー４８の数字「８」キーに、「左を向いた表示形態」はテンキー４４の数字「４」キーに、「右を向いた表示形態」はテンキー４６の数字「６」キーにそれぞれ対応させている。なお、それに限定されるものではなく、他のキー或いは他の操作部を用いてもよい。
【００４２】
図２に示す例では、表示部１には「ランドルト環の開放部分Ｐ’が右を向いた表示形態」とされたサイズＰ（ｉ）の指標画像Ｐが表示されており、入力部４で「右を向いた表示形態」に対応しているテンキー４６の数字「６」キーが選択入力されると、文字サイズ設定部３によってサイズＰ（ｉ）の指標画像Ｐの見え具合が良好であると判断される。一方、入力部４でテンキー４２，４４，４６，４８のうちテンキー４６以外のキーが選択入力されると、文字サイズ設定部３によってサイズＰ（ｉ）の指標画像Ｐの見え具合が不良であると判断される。
【００４３】
詳しくは、文字サイズ設定部３は、複数種類のサイズＰ（１）〜Ｐ（ｎ）の指標画像Ｐの中から、表示部１で表示するために設定した文字ＭのサイズＭ（ｉ）に対応するサイズＰ（ｉ）の一の指標画像Ｐを表示部１に大きいサイズから小さいサイズに順に表示させる場合、該サイズＰ（ｉ）の指標画像Ｐの表示形態の表示をランダムに行った後、操作者により選択入力された該サイズＰ（ｉ）の指標画像Ｐの見え具合が良好であると判断したときは、表示部１で表示する文字Ｍを一つ小さいサイズＭ（ｉ−１）に設定して該文字ＭのサイズＭ（ｉ−１）に対応する一つ小さいサイズＰ（ｉ−１）の一の指標画像Ｐの表示形態の表示をランダムに行う一方、該見え具合が不良であると判断したときは、表示部１で表示する文字Ｍを一つ大きいサイズＭ（ｉ＋１）に設定するようになっている。
【００４４】
また、文字サイズ設定部３は、複数種類のサイズＰ（１）〜Ｐ（ｎ）の指標画像Ｐの中から、表示部１で表示するために設定した文字ＭのサイズＭ（ｉ）に対応するサイズＰ（ｉ）の一の指標画像Ｐを表示部１に小さいサイズから大きいサイズに順に表示させる場合、該サイズＰ（ｉ）の指標画像Ｐの表示形態の表示をランダムに行った後、操作者により選択入力された該サイズＰ（ｉ）の指標画像Ｐの見え具合が不良であると判断したときは、表示部１で表示する文字Ｍを一つ大きいサイズＭ（ｉ＋１）に設定して該文字ＭのサイズＭ（ｉ＋１）に対応する一つ大きいサイズＰ（ｉ＋１）の一の指標画像Ｐの表示形態の表示をランダムに行う一方、該見え具合が良好であると判断したときは、該文字サイズＭ（ｉ）の設定のままとするようになっている。
【００４５】
図４は、表示部１に表示した複数種類のサイズＭ（１）〜Ｍ（ｎ）の文字列Ｍと、それに対応する複数種類のサイズＰ（１）〜Ｐ（ｎ）の指標画像Ｐを一覧で示す図である。なお、図４の例ではｎは５である。以下、ｎを５として説明する。
【００４６】
図４に示すように、操作者によってサイズＰ（１）〜Ｐ（５）の指標画像Ｐの何れかの指標画像Ｐが認識できれば、それに対応する文字Ｍの表示も十分に認識できる文字サイズに設定される。よって、指標画像Ｐのサイズが大きければ文字Ｍのサイズも大きくなり、逆に指標画像Ｐのサイズが小さければ文字Ｍのサイズも小さくなる。
【００４７】
本実施の形態において、文字サイズ設定部３は、複数種類のサイズＰ（１）〜Ｐ（５）の指標画像Ｐの中から、表示部１で表示するために設定した文字ＭのサイズＭ（ｉ）に対応するサイズＰ（ｉ）の一の指標画像Ｐを表示部１に順次表示させるにあたり、該サイズＰ（ｉ）の指標画像Ｐの複数種類の表示形態（ここでは異なった向き）がランダムになるように該サイズＰ（ｉ）の指標画像Ｐを複数回表示させ、該複数回の表示毎に表示部１に表示したサイズＰ（ｉ）の指標画像Ｐと操作者により選択入力されたサイズＰ（ｉ）の指標画像Ｐの見え具合の情報とを比較した比較結果を集計し、該集計した集計結果に応じて表示部１で表示する文字Ｍを一つ大きいサイズＭ（ｉ＋１）又は一つ小さいサイズＭ（ｉ−１）に設定変更するようになっている。
【００４８】
かかる構成を備えた表示装置１０では、複数種類のサイズＰ（１）〜Ｐ（５）の指標画像Ｐの中から選択入力されたサイズＰ（ｉ）の指標画像Ｐの見え具合の情報から表示部１で表示する文字Ｍの操作者とって適切なサイズを精度よく設定することができる。
【００４９】
次に、図１に示す表示装置１０の文字サイズの設定処理フローについて説明する。図５は、図１に示す表示装置１０の文字サイズ設定部３において文字サイズの設定値を決定する処理の流れを示すフローチャートの一例を示す図である。
【００５０】
図５に示す文字サイズの設定処理では、ステップＳ１にて、文字サイズの設定指示があるまで待機し（ステップＳ１：ＮＯ）、文字サイズの設定指示があると（ステップＳ１：ＹＥＳ）、ステップＳ２以降の文字サイズ設定プロセスを開始する。
【００５１】
すなわち、先ず、ステップＳ２にて、文字サイズの設定値を初期値に設定する。ここでは、複数種類のサイズＭ（１）〜Ｍ（５）の文字Ｍのうち、大きいサイズから小さいサイズへとサイズが小さくなるように文字ＭのサイズＭ（ｉ）を順に変化させて、それに対応するサイズの指標画像Ｐを表示部１に表示し、どこまでの見え具合が良好であるかを確認することで、文字サイズを設定するようになっている。ここでは、文字サイズの設定値の初期値は、文字サイズの最大値Ｍ（５）とされている。
【００５２】
なお、設定するサイズＭ（ｉ）の文字Ｍに対応して表示部１に表示するサイズＰ（ｉ）の指標画像Ｐの順序としては、それに限定されるものではなく、例えば、複数種類のサイズＭ（１）〜Ｍ（５）の文字Ｍのうち、小さいサイズから大きいサイズへとサイズが大きくなるように文字ＭのサイズＭ（ｉ）を順に変化させて、それに対応するサイズの指標画像Ｐを表示部１に表示し、どこまでの見え具合が不良であるかを確認することで、文字サイズを設定するようにしてもよい。この場合、文字サイズの設定値の初期値は、文字サイズの最小値Ｍ（１）とすることができる。
【００５３】
また、複数種類のサイズＭ（１）〜Ｍ（５）の文字Ｍのうち、基準となるサイズ（例えば中間サイズ）の文字Ｍに対応する指標画像Ｐを表示部１に表示し、見え具合が良好である場合には文字サイズを小さくなるように文字を順に変化させて、それに対応するサイズの指標画像Ｐを表示部１に表示し、どこまでの見え具合が良好であるかを確認する一方、見え具合が不良である場合には文字サイズを大きくなるように文字を順に変化させて、それに対応するサイズの指標画像Ｐを表示部１に表示し、どこまでの見え具合が不良であるかを確認してもよい。この場合、文字サイズの設定値の初期値は、文字サイズの基準となるサイズ（例えば中間サイズＭ（３））とすることができる。
【００５４】
次いで、複数種類のサイズＰ（１）〜Ｐ（５）の指標画像Ｐの中から、表示部１で表示するために設定したサイズＭ（ｉ）（初期値は最大サイズＭ（５））の文字Ｍに対応するサイズＰ（ｉ）の一の指標画像Ｐを表示部１に表示する（ステップＳ３〜ステップＳ５）。
【００５５】
詳しくは、ステップＳ３にて、複数種類のサイズＰ（１）〜Ｐ（５）の指標画像Ｐのうち、設定した文字ＭのサイズＭ（ｉ）に対応するサイズＰ（ｉ）の一の指標画像Ｐの複数種類の表示形態の表示をランダムに行う（ここではランドルト環の開放部分Ｐ’が上方、下方、左方及び右方のうち何れかのランダムな方向に向くように表示する）。
【００５６】
その後、ステップＳ４にて、表示部１に表示した表示形態でサイズＰ（ｉ）の指標画像Ｐの操作者による見え具合が該操作者によって選択され、入力部４の操作部材の一例であるテンキー４２，４４，４６，４８の何れかに対する押下操作等の入力操作がなされる。
【００５７】
ここで、複数種類のサイズＰ（１）〜Ｐ（５）の指標画像Ｐの中から、表示部１で表示するために設定した文字ＭのサイズＭ（ｉ）に対応するサイズＰ（ｉ）の一の指標画像Ｐを表示部１に一つずつ表示するにあたり、ステップＳ５にて、該サイズＰ（ｉ）の指標画像Ｐの表示形態の表示をランダムに複数回（ここでは１０回）行う。すなわち、ステップＳ３〜ステップＳ４の処理が複数回繰り返されたかどうかによって、ステップＳ３〜ステップＳ４の処理を繰り返すかどうかを決定する。ステップＳ３〜ステップＳ４の処理が複数回繰り返されていなかった場合は、ステップＳ３に進む一方、ステップＳ３〜ステップＳ４の処理が複数回繰り返された場合は、ステップＳ６に進む。
【００５８】
次に、ステップＳ６にて、操作者により選択入力されたサイズＰ（ｉ）の指標画像Ｐの見え具合を判断する。すなわち、ステップＳ３で表示部１に表示したサイズＰ（ｉ）の指標画像Ｐに対して、ステップＳ４で入力部４の操作部材４２，４４，４６，４８へ入力操作されたサイズＰ（ｉ）の指標画像Ｐの見え具合が良好か否かを判定する。
【００５９】
そして、操作者により選択入力されたサイズＰ（ｉ）の指標画像Ｐの見え具合が良好であると判断したときは（ステップＳ６：良好）、表示部１で表示する文字Ｍを一つ小さいサイズＭ（ｉ−１）に設定して（ステップＳ７）該文字ＭのサイズＭ（ｉ−１）に対応する一つ小さいサイズＰ（ｉ−１）の一の指標画像Ｐの表示形態（ここでは異なった向き）の表示をランダムに複数回行う（ステップＳ３〜ステップＳ５）。一方、該見え具合が不良であると判断したときは（ステップＳ６：不良）、ステップＳ８に進む。
【００６０】
詳しくは、ステップＳ６では、ステップＳ３で表示部１に表示したサイズＰ（ｉ）の指標画像ＰとステップＳ４で入力部４の操作部材４２，４４，４６，４８へ入力操作されたサイズＰ（ｉ）の指標画像Ｐの見え具合の情報とがどれくらいの割合で一致していたかを判定する。すなわち、ステップＳ３〜ステップＳ５での複数回の表示毎に表示部１に表示したサイズＰ（ｉ）の指標画像Ｐと操作者により選択入力されたサイズＰ（ｉ）の指標画像Ｐの見え具合の情報とを比較した比較結果（ここでは正解率）を集計し、この集計結果が所定の判定基準に達しているときは（ここでは８０％以上が一致していれば）、入力操作されたサイズＰ（ｉ）の指標画像Ｐの見え具合が良好と判断し、ステップＳ７に進む一方、前記判定基準に満たないときは（ここでは８０％未満しか一致していなければ）、入力操作されたＰ（ｉ）の指標画像Ｐの見え具合が不良と判断し、ステップＳ８に進む。
【００６１】
ステップＳ６にて入力操作されたサイズＰ（ｉ）の指標画像Ｐの見え具合が良好であると判断した場合には、ステップＳ７にて、表示部１で表示する文字サイズの設定値Ｍ（ｉ）を一つ小さいサイズＭ（ｉ−１）に設定し、ステップＳ３から再びプロセスを繰り返す。
【００６２】
一方、入力操作されたサイズＰ（ｉ）の指標画像Ｐの見え具合が不良であると判断した場合には、ステップＳ８にて、表示部１で表示する文字サイズの設定値Ｍ（ｉ）を一つ大きいサイズＭ（ｉ＋１）に設定し、これを操作者にとって適切な文字サイズの設定値として処理を終了する。
【００６３】
なお、複数種類のサイズＭ（１）〜Ｍ（５）の文字Ｍのうち、小さいサイズから大きいサイズへとサイズが大きくなるように文字ＭのサイズＭ（ｉ）を順に変化させて、それに対応するサイズの指標画像Ｐを表示部１に表示して見え具合を確認する場合には、図５のフローチャートにおいて、次のように処理することができる。
【００６４】
すなわち、ステップＳ２にて、文字サイズの設定値の初期値を文字サイズの最小値Ｍ（１）とし、ステップＳ６にて、操作者により選択入力されたサイズＰ（ｉ）の指標画像Ｐの見え具合が不良（ここでは正解率８０未満）であると判断したときは、ステップＳ７にて、表示部１で表示する文字Ｍを一つ大きいサイズＭ（ｉ＋１）に設定し、ステップＳ３〜ステップＳ５にて、該文字ＭのサイズＭ（ｉ＋１）に対応する一つ大きいサイズＰ（ｉ＋１）の一の指標画像Ｐの表示形態の表示をランダムに複数回行う。一方、ステップＳ６にて、該見え具合が良好（ここでは正解率８０以上）であると判断したときは、ステップＳ８にて、表示部１で表示する文字サイズの設定値Ｍ（ｉ）をそのままとし、これを操作者にとって適切な文字サイズの設定値として処理を終了する。
【００６５】
また、複数種類のサイズＭ（１）〜Ｍ（５）の文字Ｍのうち、基準となるサイズ（例えば中間サイズＭ（３））の文字Ｍに対応する指標画像Ｐを表示部１に表示して見え具合を確認する場合には、ステップＳ２にて、文字サイズの設定値の初期値を文字サイズの基準となるサイズ（例えば中間サイズＭ（３））とし、該設定した文字に対応する指標画像Ｐの見え具合が良好であると判断した場合には、前記したように、サイズが小さくなるように文字ＭのサイズＭ（ｉ）を順に変化させて、それに対応するサイズの指標画像Ｐを表示部１に表示して見え具合を確認する一方、該設定した文字に対応する指標画像Ｐの見え具合が不良であると判断した場合には、前記したように、サイズが大きくなるように文字ＭのサイズＭ（ｉ）を順に変化させて、それに対応するサイズの指標画像Ｐを表示部１に表示して見え具合を確認する処理を行うことができる。
【００６６】
ここでは、サイズＰ（ｉ）の指標画像Ｐの見え具合の判定を正解率８０％以上で行っているが、それに限定されるものではなく、正解率９０％以上で行ってもよい。また、サイズＰ（ｉ）の指標画像Ｐの表示形態のランダム表示を１０回として該指標画像Ｐの見え具合を判定しているが、ある程度の統計が得られれば、５回程度で判定してもよい。
【００６７】
以上の文字サイズ設定のプロセスにより、表示部１で表示される文字Ｍにおいて、複数種類の大きさＭ（１）〜Ｍ（５）の中で、操作者にとって見え易い一番小さな値を設定することができ、文字Ｍを表示する上で最適な文字サイズを設定することができる。
【００６８】
本実施形態に係る表示装置１０は、画像形成装置に搭載しているが、それに限定されるものではなく、携帯端末装置、もしくは、パーソナルコンピュータ（ＰＣ）、テレビジョン等の機器にも適用することが可能である。
【図面の簡単な説明】
【００６９】
【図１】本発明の実施形態に係る表示装置を備えた画像形成装置の一例の概略構成を示すブロック図である。
【図２】図１に示す表示装置における表示部を概略的に示す平面図であって、該表示部に指標画像が表示されている状態を示す図である。
【図３】図１に示す表示装置における入力部を概略的に示す平面図であって、該入力部での操作部材の指標画像の表示形態との対応関係を示す図である。
【図４】表示部に表示した複数種類のサイズの文字列と、それに対応する複数種類のサイズの指標画像を一覧で示す図である。
【図５】図１に示す表示装置の文字サイズ設定部において文字サイズの設定値を決定する処理の流れを示すフローチャートの一例を示す図である。
【符号の説明】
【００７０】
１      表示部
３      文字サイズ設定部
４      入力部
１０    表示装置
２０    画像処理装置
１００  画像形成装置
Ｍ      文字
Ｐ      指標画像
【図１】
2009193324.tif 000003
【図２】
2009193324.tif 000004
【図３】
2009193324.tif 000005
【図４】
2009193324.tif 000006
【図５】
2009193324.tif 000007